(57)【特許請求の範囲】
【請求項１】
再生手段によって音楽データを再生可能な電子機器本体と、
前記電子機器本体に回動可能に接続し、前記電子機器本体において処理を行なった情報を表示可能な第１の表示部と、
前記第１の表示部が前記電子機器本体に対して閉じられた位置においても情報が視認可能であり、前記再生手段によって再生された音楽の音の出力レベルを表示可能な第２の表示部と、
前記音楽データの再生を前記再生手段に指示し、前記再生手段によって再生された音楽をデジタル変換することで求められる前記音の出力レベルを１つの通信ポートを介して前記第２の表示部へ出力させるコントローラと、
前記音楽データの再生を指示する指示手段と、
前記第２の表示部および前記コントローラへ常時電源を供給し、前記指示手段の再生指示に応じて、さらに前記再生手段へ電源を供給する電源供給手段と、
を具備することを特徴とする携帯型電子機器。
【請求項２】
前記携帯型電子機器は、
さらに前記出力レベルのピーク値を一定期間保持する保持手段と、
前記保持していたピーク値と、前記出力レベルのピーク値とを比較する比較手段とを具備し、
前記比較手段により比較した結果、前記出力レベルのピーク値が大きい場合または前記一定期間を超えた場合、前記保持手段のピーク値を更新し、前記出力レベルと保持手段に保持したピーク値とを前記第２の表示手段に表示することを特徴とする請求項１に記載の携帯型電子機器。
【請求項３】
再生手段によって音楽データを再生可能な電子機器本体と、前記電子機器本体に回動可能に接続し、前記電子機器本体で処理を行なった情報を表示可能な第１の表示部と、前記第１の表示部が前記電子機器本体に対して閉じられた位置においても情報が視認可能な第２の表示部と、前記音楽データの再生を前記再生手段に指示し、前記再生手段によって再生された音楽の音の出力レベルを１つの通信ポートを介して前記第２の表示部へ出力させるコントローラと、前記音楽データの再生を指示する指示手段とを具備する携帯型電子機器の情報表示方法において、
前記携帯型電子機器が起動していない時に、前記第２の表示部と前記コントローラへ常時電源を供給し、さらに前記指示手段による音楽の再生指示が入力された場合、前記再生手段にも電源を供給し、
前記コントローラは前記音楽データの再生を前記再生手段に指示し、
前記再生手段によって再生された音楽をデジタル変換することで求められる前記音の出力レベルを前記１つの通信ポートを介して前記第２の表示部へ出力することを特徴とする情報表示方法。
【請求項４】
再生手段によって音楽データを再生可能な電子機器本体と、前記電子機器本体に回動可能に接続し、前記電子機器本体で処理を行なった情報を表示可能な第１の表示部と、前記第１の表示部が前記電子機器本体に対して閉じられた位置においても情報が視認可能な第２の表示部と、前記音楽データの再生を前記再生手段に指示し、前記再生手段によって再生された音楽の音の出力レベルを１つの通信ポートを介して前記第２の表示部へ出力させるコントローラと、前記音楽データの再生を指示する指示手段とを具備する携帯型電子機器の情報表示方法において、
前記携帯型電子機器が起動していない時に、前記第２の表示部と前記コントローラへ常時電源を供給し、さらに前記指示手段による音楽の再生指示が入力された場合、前記再生手段にも電源を供給し、
前記コントローラは前記音楽データの再生を前記再生手段に指示し、
前記音楽データの再生時に出力される音の出力レベルのピーク値を一定期間保持し、
前回保持された音のピーク値と、今回出力する音の出力レベルのピーク値とを比較し、
比較した結果、前記出力レベルのピーク値が大きい場合、前記前回保持されたピーク値を更新し、前記出力レベルと更新されたピーク値とを前記第２の表示部に表示することを特徴とする情報表示方法。
【発明の詳細な説明】
【０００１】
【発明の属する技術分野】
本発明は、ノート型パソコンのように表示部と、この表示部が閉じられているときにも情報表示を行なうことが可能な副表示部とを有する携帯型電子機器および、この副表示部に情報を表示する情報表示方法に関する。
【０００２】
【従来の技術】
近年、ノート型パソコンのような携帯型の電子機器は、ＣＰＵ等のメインデバイスを内蔵し、上面にキーボードを配設した本体部と、この本体部に回動可能に接続し、ＬＣＤなどの表示装置を有する表示部とから構成される構成である。このＬＣＤは、ユーザへ視覚的に情報を提供するメインディスプレイであり、起動画面、使用アプリケーションの画面表示やキーボードを介して入力した情報など、種情報を表示するものである。一方、このメインディスプレイには表示される情報以外に、電子機器の状態を表示するサブＬＣＤが設けられる機器が増えてきている。
【０００３】
このサブＬＣＤは、電子機器に装着されているバッテリの充電状態等を表示し、ユーザにとって、このような副次的な情報を知ることも有用であり、電子機器の状態をする上で便利なものとなっている。
例えば、特開２００１−１１７６６８公報にサブＬＣＤを備えた電子機器が開示されており、電子機器の蓋体を開いた状態において、サブＬＣＤの表示面が操作者の側に向けて引き起こされるといった技術である。
【０００４】
また、電子機器に内蔵のＣＤ−ＲＯＭドライブを利用し、ＣＤの音楽データを再生する場合などにも、このサブＬＣＤに曲番号、演奏時間などを表示することが行なわれている。
【０００５】
【発明が解決しようとする課題】
上記の従来技術のようなＣＤの再生時の表示項目として、サウンドレベルの表示がある。このようなサウンドレベル表示は、もともとのサウンドレベルが小さいのか、パソコン側のボリュームスイッチ操作によりボリュームが絞られているのかを視覚的に把握する上で便利なものである。
【０００６】
このようなサウンドレベル表示においては、通常ＣＤの再生には、ＯＳ上で動作するアプリケーションで動作し、基本的にＯＳが起動していないと音楽再生ができない、つまり電子機器の電源オフ時にＣＤの再生ができないものとなっている。また、ＯＳが起動していない状態で再生可能な場合でも、サウンドレベルの表示ができずに、ボリュームが小さい時に音楽が再生されているか否か判断することが難しい。
【０００７】
また、ハードウェア的にＬＥＤ表示装置を設ける場合も考えられる。この場合は、ＯＳが起動していないときも再生されていることを視覚的に表示可能であるが、これらのＬＥＤ点灯／消灯制御をマイコンで行なうことになる。この場合、マイコンと複数のＬＥＤとを接続するために、マイコンが有する出力ポート複数浪費し、他機能を削減することに繋がる。また、マイコン制御をやめ、ハードウェアロジックで実現しようとすると、その分の回路コスト増大が問題になる。
【０００８】
上記課題を解決するために本発明では、マイコンの出力ポートを節約し、回路コストを削減可能であり、パソコンの起動/非起動に関わらずサウンドレベルが表示可能な携帯型電子機器および、情報表示方法を提供することを目的とする。
【０００９】
【課題を解決するための手段】
上記目的を達成するために、請求項１に係る発明では、再生手段によって音楽データを再生可能な電子機器本体と、電子機器本体に回動可能に接続し、電子機器本体において処理を行なった情報を表示可能な第１の表示部と、第１の表示部が電子機器本体に対して閉じられた位置においても情報が視認可能であり、再生手段によって再生された音楽の音の出力レベルを表示可能な第２の表示部と、前記音楽データの再生を前記再生手段に指示し、再生手段によって再生された音楽をデジタル変換することで求められる音の出力レベルを１つの通信ポートを介して第２の表示部へ出力させるコントローラと、音楽データの再生を指示する指示手段と、第２の表示部およびコントローラへ常時電源を供給し、指示手段の再生指示に応じて、さらに再生手段へ電源を供給する電源供給手段とを具備することを特徴とする。
【００１０】
このような構成により、電子機器が起動していない場合でも、再生指示に応じて、必要なデバイスのみに電源を供給し、音楽再生を開始して、第２の表示手段に音楽のサウンドレベルを表示することが可能となり、音の出力が行なわれているか否かを容易に判断可能な電子機器を提供することが可能となる。
【００１３】
また、請求項３に係る発明では、再生手段によって音楽データを再生可能な電子機器本体と、電子機器本体に回動可能に接続し、電子機器本体で処理を行なった情報を表示可能な第１の表示部と、第１の表示部が電子機器本体に対して閉じられた位置においても情報が可視可能な第２の表示部と、前記音楽データの再生を前記再生手段に指示し、再生手段によって再生された音楽の音の出力レベルを１つの通信ポートを介して第２の表示部へ出力させるコントローラと、音楽データの再生を指示する指示手段とを具備する携帯型電子機器の情報表示方法において、携帯型電子機器が起動していない時に、第２の表示部とコントローラへ常時電源を供給し、さらに指示手段による音楽の再生指示が入力された場合、再生手段にも電源を供給し、前記コントローラは前記音楽データの再生を前記再生手段に指示し、再生手段によって再生された音楽をデジタル変換することで求められる音の出力レベルを１つの通信ポートを介して第２の表示部へ出力することを特徴とする。
【００１４】
このような構成により、電子機器が起動していない場合でも、再生指示に応じて、必要なデバイスのみに電源を供給し、音楽再生を開始して、第２の表示手段に音楽のサウンドレベルを表示することが可能となり、音の出力が行なわれているか否かを容易に判断可能な情報表示方法を提供することが可能となる。
【００１７】
【発明の実施の形態】
以下本発明に係る実施の形態を、図面を参照して説明する。
図１に第１の実施形態に係るパソコンとの斜視図を示す。
【００１８】
パソコン１は、本体ケース２と表示部ケース３とＬＣＤパネル（第１の表示手段）４とキーボード５とを有する。本体ケース２はその上面部にキーボード５を配設している。本体ケース２と表示部ケース３とは、ヒンジ部６により回動可能に接続している。表示部ケース３は、ＬＣＤパネル４の表示領域が可視状態となるようＬＣＤパネル４の周辺部を保持している。表示部ケース３はヒンジ部６を介して矢印Ａ−Ｂ方向に回動可能であり、キーボード５を覆う閉位置とキーボード５を使用可能な状態にする開位置との間で回動可能である。
【００１９】
また、本体ケース２と表示部ケース３との回動軸となるヒンジ部６には、パソコン１のステータスなどを表示するサブＬＣＤ（第２の表示手段）７及び、スピーカ８ａ、８ｂが設けられている。
【００２０】
サブＬＣＤ７は、おもにパソコン１のステータスを表示するものであり、このサブＬＣＤは、表示部ケース３がキーボード５を覆う閉位置にある状態でも、使用者が視認可能な位置に設けられる。
【００２１】
スピーカ８ａ、８ｂは、パソコン１の音声出力デバイスであり、パソコン１の状態異常に際し警告音を出したり、音楽を出力する。
【００２２】
図２は、パソコンのハードウェア構成の一部を示したものであるが、パソコン１全体の制御を司るＣＰＵ１１と第１のブリッジ回路１２とは６４ビット幅のデータバスによって接続しており、第１のブリッジ回路１２とメインメモリ１３との接続はメモリバスを介して接続している。また、表示コントローラ１４が第１のブリッジ回路１２に接続している。
【００２３】
第１のブリッジ回路１２と第２のブリッジ回路１５とは、３２ビット幅のデータバスを有する第１のバス１６によって接続している。
第２のブリッジ回路１５には、ＨＤＤ１６、ＣＤ−ＲＯＭドライブ１７及びオーディオ複合部１８が接続している。また、第２のブリッジ回路１５に接続している第２のバス１９を介して、エンベデットコントローラ（以後、ＥＣと称す）２０が接続している。
【００２４】
ＣＰＵ１１は、パソコン１全体の動作制御およびデータ処理等を実行するものである。
第１のブリッジ回路１２は、各種デバイス間を接続するブリッジＬＳＩであり、この第１のブリッジ回路１２に接続する各種デバイス間のデータ通信において、デバイスと第１のブリッジ回路１２とを接続するバスの互換を保つ為、バス幅を変換する機能を有している。
メインメモリ１３は、オペレーティングシステム（ＯＳ）、ＢＩＯＳプログラム、ユーティリティプログラムや、実行対象のアプリケーションプログラムおよび処理データなどを格納するメモリデバイスであり、複数のＤＲＡＭによって構成している。
【００２５】
第１のバス１６はクロック同期型の入出力バスであり、第１のバス１６上の全てのサイクルは、第１のバス１６のクロックに同期して行う。この第１のバス１６は、時分割的に使用されるアドレス／データバスを有している。
【００２６】
表示コントローラ１４は、ＬＣＤ４へ表示する表示データを制御するものであり、第１のブリッジ回路１２から画像データを受け取り、ＬＣＤ４へ表示データを表示させるものである。
【００２７】
第２のブリッジ回路１５は、第１のバス１６と第２のバス１９との間を繋ぐブリッジＬＳＩであり、第１のバス１６と第２のバス１９との間のバス変換等を行う。また、この第２のブリッジ回路１５には、ＨＤＤ１６やＣＤ−ＲＯＭドライブ１７などのＩＤＥデバイスの制御を行なうＩＤＥコントローラ２１が内蔵されている。
【００２８】
また、第２のブリッジ回路１５には、ＩＤＥコントローラ２１には、ＨＤＤ１６とＣＤ−ＲＯＭドライブ１７が接続されている。
【００２９】
ＨＤＤ１６は、このパソコン１のデータを記憶する大容量の磁気記憶媒体であり、パソコン１の電源が遮断されている場合でも、そのデータを保持する。
【００３０】
ＣＤ−ＲＯＭドライブ１７は、光記憶媒体であるＣＤ−ＲＯＭからの情報を読み出し、及び情報の書き込みを行なうデバイスである。一般的には、ＣＤ−ＲＯＭに記憶され音楽データを読み出し、パソコン１で音楽を聴くことが可能である。
【００３１】
オーディオ復号部１８は、第２のブリッジ回路１５に接続し、サウンドデータの符号化／復号化を行ったり、Ｄ／Ａ変換、Ａ／Ｄ変換を行う。
【００３２】
ＣＤ−ＲＯＭドライブ１７にはさらに、ミキサ２２に接続しており、ミキサ２２は、ＣＤ−ＲＯＭドライブ１７から出力されるサウンドデータや、オーディオ複合部１８からのアナログオーディオ出力をミキシングする。ミキシングされたオーディオ出力は、ミキサ２２に接続するアンプ２３へ出力され、アンプ２３で増幅された後に、スピーカ８ａ、８ｂを介して、外部へ出力される。
【００３３】
アンプ１９は、オーディオ復号部１６からの出力を、増幅し、スピーカ２１へ出力する。
【００３４】
第２のバス１９には、ＥＣ２０及びＢＩＯＳ−ＲＯＭ２４が接続している。
【００３５】
ＥＣ２０は、第２のブリッジ回路１５とＩ２Ｃバス２５とを繋ぐブリッジＬＳＩであり、ＣＰＵ１１によってリード／ライト可能な複数のレジスタ群を内蔵している。これらレジスタ群を使用することにより、ＣＰＵ１１とＩ２Ｃバス２５上のデバイスとの通信が可能となる。また、キーボードコントローラ（以下、ＫＢＣと称す）としての機能も有している。
【００３６】
また、ＥＣは、サウンドレベル表示の制御も行ない、出力している音楽のサウンドレベル
【００３７】
このＥＣ２０には、キーボード２６、電源コントローラ（以後、ＰＳＣと称す）２７、操作ボタン２８が接続する。
【００３８】
Ｉ２Ｃバス２５は、ＥＣ２０とキーボード２６の間、ＥＣ２０とＰＳＣ２７との間及びＥＣ２０と操作ボタン２８との間の通信に利用される。
【００３９】
キーボード２６はユーザーインターフェースの１つであり、コマンド入力、文字入力等を行なうものである。
【００４０】
ＰＳＣ２８は、パソコン１全体の電源制御を行ない、パソコン１内の各デバイスへ電力を供給している。また、パソコン１が起動していない状態においても、常時、ＥＣ２０とサブＬＣＤ７へ電源を供給している。
【００４１】
操作ボタン２８は、ＣＤ−ＲＯＭをＣＤ−ＲＯＭドライブを用いて再生する場合に、再生、停止、早送りなどの操作を行なう入力デバイスであり、夫々再生ボタン、停止ボタン、
早送りボタン等が設けられている。
【００４２】
また、ピークホールド回路２９がミキサ２２の出力ラインに接続しており、ミキサ２２からの出力レベルを一定期間保持し、出力レベルをＥＣ２０へ通知する。
【００４３】
続いて、図３に図１に示したパソコン１の表示部ケース３を、キーボード５を覆う様に閉じた閉状態の斜視図を示す。
【００４４】
この閉状態においても、サブＬＣＤ７は、可視状態であり、スピーカ８ａ、８ｂも表面に現れている状態である。
【００４５】
図４に、パソコン１が起動していない状態でのＣＤ再生のフローチャートを示す。
【００４６】
ＥＣ２０とサブＬＣＤ７は、パソコン１の起動／非起動に関わらず、常時電源が供給されている。また、以下の説明では、ＣＤ−ＲＯＭドライブ１７に音楽用ＣＤが挿入されている状態である。
【００４７】
操作ボタン２８のうち、ＣＤ再生ボタンが押されたことをＥＣ２０が検出すると（ステップＳ１０１）、ＥＣ２０は、ＰＳＣ２７に対して、ＣＤを再生するために必要なデバイスへ電源を供給するように指示信号を送出する（ステップＳ１０２）。ここで、必要なデバイスとは、音楽ＣＤを再生するＣＤ−ＲＯＭドライブ１７、ミキシングを行なうミキサ２２、アンプ２３、ピークホールド回路２９等である。
【００４８】
ＰＳＣ２７は、指示を受けると上記のデバイスに対して、電源の供給を行なう（ステップＳ１０３）。ＰＳＣ２７は、各デバイスに電源を供給すると、ＥＣ２０に対して、電源供給を行なった旨の信号を通知する（ステップＳ１０４）。
【００４９】
ＥＣ２０は、ＰＳＣ２７から電源供給完了の旨の通知を受けると（ステップＳ１０５）、次にＣＤ−ＲＯＭドライブ１７へ音楽ＣＤの再生指示を送出する（ステップＳ１０６）。
【００５０】
再生指示を受けたＣＤ−ＲＯＭドライブ１７は、ＣＤ−ＲＯＭドライブ１７に挿入されているＣＤを再生する（ステップＳ１０７）。
【００５１】
このように、パソコン１が起動されていない状態で、ＣＤの再生処理が行なわれる。
【００５２】
上述した処理では、再生ボタンを押した時に、ＣＤ再生に必要な箇所に電源を入れるようにしたが、再生ボタン以外でも、停止ボタン等でもＣＤ再生に必要なデバイスに電源が投入されるように制御しても良い。
【００５３】
次に、図５及び図６を用いて上述の再生処理におけるサウンドレベル表示処理を説明する。
【００５４】
図５にサブＬＣＤの表示例の図を示し、図６にサウンドレベル表示のフローチャートを示す。
【００５５】
図５（ａ）は、サウンドレベルが最小（無音）の時のサブＬＣＤ７の表示例を示し、図５（ｂ）及び、図５（ｃ）は、スピーカ８ａ、８ｂのそれぞれに対応した出力サウンドレベルが表示されている例である。
【００５６】
サブＬＣＤ７には、ＣＤを再生していることを模式的に示すＣＤ表示３１及び、再生しているＣＤの曲の順番及び演奏時間を表示する曲情報表示部３２及びバッテリの状態を示すバッテリインジケータ３３と、サウンドレベルを表示するサウンドレベル表示部３４とが設けられている。
【００５７】
また、サウンドレベル表示部３４は、過去のピーク値を表示する機能を備えており、図５（ｂ）に示すように、右チャネルピーク値３５と、左チャネルピーク値３６とが表示される。
【００５８】
次に、このサウンドレベル表示処理について説明する。
本実施形態では、サウンドレベル表示の更新を５０ｍＳ毎に行なうものとする。
【００５９】
音楽の再生が始まると、まず、サウンドレベル表示が許可されているか否かを判断する。これは、ＥＣ２０内の図示しないレジスタにビットが立っているか否かで判断する。例えば、ビットが“０”の場合は、サウンドレベル表示を行ない、ビットが“１”の場合は、サウンドレベル表示を行なわないといった制御を行なう。
【００６０】
サウンドレベル表示が許可されている場合（ステップＳ２０１のＹＥＳ）、５０ｍＳ毎のサウンドレベル表示処理を開始する（ステップＳ２０２）。
【００６１】
ピークホールド回路２９はミキサ２２から出力されるオーディオ出力を保持し、ＥＣ２０は、ピークホールド回路２９からＡ／Ｄ変換ポート３０に印加される電圧を所定期間毎にＡ／Ｄ変換を行なう（ステップＳ２０３）。
【００６２】
ＥＣ２０は、サウンドレベルのピーク値を所定期間保持するレジスタも有している。ここで、過去のピーク値と、ミキサ２２から出力したサウンドレベルのピーク値との比較を行なう（ステップＳ２０４）。
【００６３】
ここで、過去のピーク値より、現在出力しているサウンドレベルのピーク値が大きい場合（ステップＳ２０４のＹＥＳ）、新たにレジスタにピーク値を更新記録する（ステップＳ２０５）。
【００６４】
また、過去のピーク値が大きい場合（ステップＳ２０４のＮＯ）は、前回のピーク値を記憶してから、所定期間（例えば１秒）経過したかを判断する（ステップＳ２０６）。
【００６５】
所定期間経過している場合は（ステップＳ２０６のＹＥＳ）、新たなピーク値を記憶する。
【００６６】
所定期間経過していない場合（ステップＳ２０６のＮＯ）は、サウンドレベルと、記憶しているピーク値をサブＬＣＤ７表示として更新する。
【００６７】
このようにピーク値を保持することで、サウンドレベルが激しく変動するような場合でもピークレベルを認識可能となる。
【００６８】
上述したように、本発明では、パソコンが起動していない状態で音楽データを再生するときに、パソコンと拡張装置との間で、接続するコネクタを複数設け、使用用途に応じて、接続するコネクタを選択し、接続することで不要な処理等を行なわないようにすることが可能となる。
【００６９】
このように、パソコン１が起動していない状態でも、サウンドレベルを表示可能としたことにより、ボリュームスイッチにより音が出力されていないのか、ＣＤから音楽データが再生されていないのかを判断することが可能である。
【００７０】
以上、詳述した発明では、パソコンが起動していない状態でも、再生中の音楽のサウンドレベルをサブＬＣＤ７へ表示することが可能となる。
【００７１】
本発明ではその主旨を逸脱しない範囲であれば、上記の実施形態に限定されるものではない。
【００７２】
【発明の効果】
以上詳述した発明によれば、マイコンとサブＬＣＤとの通信ポートを一つにし、かつ電源供給制御を独立にしたことにより、パソコンの起動/非起動に関わらずサウンドレベルが表示可能な電子機器および、サウンドレベル表示方法を提供することが可能である。
【図面の簡単な説明】
【図１】パソコンの斜視図。
【図２】パソコンのハードウェア構成図。
【図３】パソコンの表示部ケースを閉じた状態の斜視図。
【図４】パソコン１が起動していない状態でのＣＤ再生のフローチャート。
【図５】サブＬＣＤの表示例。
【図６】サウンドレベル表示のフローチャート。
【符号の説明】
１…パソコン
２…本体ケース
３…表示部ケース
４…ＬＣＤパネル
５…キーボード
６…ヒンジ部
７…サブＬＣＤ
８ａ、８ｂ…スピーカ
１７…ＣＤ−ＲＯＭドライブ
２０…エンベデッドコントローラ
２２…ミキサ
２３…アンプ
２７…ＰＳＣ
２８…操作ボタン
２９…ピークホールド回路
３１…ＣＤ表示
３２…曲情報表示部
３３…バッテリインジケータ
３４…サウンドレベル表示部
３５…右チャネルピーク値
３６…左チャネルピーク値
【図１】
0003973867.tif 000002
【図２】
0003973867.tif 000003
【図３】
0003973867.tif 000004
【図４】
0003973867.tif 000005
【図５】
0003973867.tif 000006
【図６】
0003973867.tif 000007